(57)【要約】【課題】蓋体を本体から容易に分離して開封できるカートンを提供すること。【解決手段】本発明のカートン１は、本体３と、蓋体２とを備え、本体３は、矩形状の底面部３２と、底面部３２の長辺に設けられた長辺側本体側面部３１，３３と、底面部３２の短辺に設けられた短辺側本体側面部３４，３５とを備え、蓋体２は、矩形状の上面部２２と、上面部２２の長辺に設けられた長辺側蓋体側面部２１，２３と、上面部２２の短辺に設けられた短辺側蓋体側面部２８，２９とを備えたものであって、本体３の底面部３２における互いに対向する辺に、本体３の長辺側本体側面部３１，３３および本体３の短辺側本体側面部３４，３５のうちの少なくともどちらかの側面部からの切り残しによって、本体３の底面部３２の外方側に突出した少なくとも一対の指掛片３２１，３２２が形成されている。【選択図】図１
2014065526.tif 000002
【特許請求の範囲】
【請求項１】
本体と、蓋体とを備え、
前記本体は、矩形状の底面部と、前記底面部の長辺に設けられた一対の長辺側本体側面部と、前記底面部の短辺に設けられた一対の短辺側本体側面部とを備え、
前記底面部における互いに対向する辺に、前記本体の底面部の外方側に突出した少なくとも一対の指掛片が形成されていることを特徴とするカートン。
【請求項２】
前記指掛片が、前記長辺側本体側面部および前記短辺側本体側面部のうちの少なくともどちらかの側面部の切り残しによって形成されていることを特徴とする請求項１記載のカートン。
【請求項３】
前記指掛片は、前記本体の底面部の長辺に、前記長辺側本体側面部の切り残しによって形成されていることを特徴とする請求項１又は２記載のカートン。
【請求項４】
本体と、蓋体とを備え、
前記蓋体は、矩形状の上面部と、前記上面部の長辺に設けられた一対の長辺側蓋体側面部と、前記上面部の短辺に設けられた一対の短辺側蓋体側面部とを備え、
前記上面部における互いに対向する辺に、前記蓋体の上面部の外方側に突出した少なくとも一対の指掛片が形成されていることを特徴とするカートン。
【請求項５】
前記指掛片が、前記長辺側蓋体側面部および前記短辺側蓋体側面部のうちの少なくともどちらかの側面部の切り残しによって形成されていることを特徴とする請求項４記載のカートン。
【請求項６】
前記指掛片は、前記蓋体の上面部の長辺に、前記長辺側蓋体側面部からの切り残しによって形成されていることを特徴とする請求項４又は５記載のカートン。
【請求項７】
本体と、蓋体とを備え、
前記本体は、矩形状の底面部と、前記底面部の長辺に設けられた一対の長辺側本体側面部と、前記底面部の短辺に設けられた一対の短辺側本体側面部とを備え、
前記蓋体は、矩形状の上面部と、前記上面部の長辺に設けられた一対の長辺側蓋体側面部と、前記上面部の短辺に設けられた一対の短辺側蓋体側面部とを備え、
前記本体の底面部における互いに対向する辺に、前記本体の底面部の外方側に突出した少なくとも一対の指掛片が形成され、かつ
前記蓋体の上面部における互いに対向する辺に、前記蓋体の上面部の外方側に突出した少なくとも一対の指掛片が形成されていることを特徴とするカートン。
【発明の詳細な説明】
【技術分野】
【０００１】
本発明は、蓋身箱型のカートンに関する。
【背景技術】
【０００２】
従来、本体と、蓋体とを備え、ブロックチーズなどの個包装された内容物を収納する蓋身箱型のカートンが知られている。
このようなカートンでは、蓋体の大きさと本体の大きさ、特に蓋体の高さと本体の高さとがほぼ同じであるため、本体が蓋体によって覆われた状態では、本体が蓋体の外側には露出していない。このため、本体を把持できず、蓋体を本体から分離させにくく、カートンを開封しにくい。
【０００３】
ここで、カートンとして、特許文献１で示される従来例がある。
特許文献１で示されるカートンは、１枚のブランクから形成される蓋体と本体とを備える。このカートンでは、蓋体の一部を破断することによって、蓋体から膨出した指掛片が設けられており、指掛片に指をあてがって蓋体を操作することにより、蓋体を開放してカートンを開封する。
【先行技術文献】
【特許文献】
【０００４】
【特許文献１】特開２００７−１９１２１６号公報
【発明の概要】
【発明が解決しようとする課題】
【０００５】
しかし、特許文献１に記載のカートンは、上述した蓋身箱型のカートンとは異なり、蓋体と本体とを一体のまま蓋体を開けやすくするという課題を解決するために指掛片を設けたものである。このため、蓋身箱型のカートンを容易に開封できるようにすることは特許文献１では解決できるものではない。
【０００６】
そこで、本発明は、蓋体を本体から容易に分離して開封できるカートンを提供することを目的とする。
【課題を解決するための手段】
【０００７】
本発明は以下の構成によるものである。
（１）本体と、蓋体とを備え、前記本体は、矩形状の底面部と、前記底面部の長辺に設けられた一対の長辺側本体側面部と、前記底面部の短辺に設けられた一対の短辺側本体側面部とを備え、前記底面部における互いに対向する辺に、前記本体の底面部の外方側に突出した少なくとも一対の指掛片が形成されているカートン。
（２）前記指掛片が、前記長辺側本体側面部および前記短辺側本体側面部のうちの少なくともどちらかの側面部の切り残しによって形成されていることを特徴とする（１）記載のカートン。
（３）前記指掛片は、前記本体の底面部の長辺に、前記長辺側本体側面部の切り残しによって形成されている（１）又は（２）記載のカートン。
（４）本体と、蓋体とを備え、前記蓋体は、矩形状の上面部と、前記上面部の長辺に設けられた一対の長辺側蓋体側面部と、前記上面部の短辺に設けられた一対の短辺側蓋体側面部とを備え、前記上面部における互いに対向する辺に、前記蓋体の上面部の外方側に突出した少なくとも一対の指掛片が形成されているカートン。
（５）前記指掛片が、前記長辺側蓋体側面部および前記短辺側蓋体側面部のうちの少なくともどちらかの側面部の切り残しによって形成されている（４）記載のカートン。
（６）前記指掛片は、前記蓋体の上面部の長辺に、前記長辺側蓋体側面部からの切り残しによって形成されている（４）又は（５）記載のカートン。
（７）本体と、蓋体とを備え、前記本体は、矩形状の底面部と、前記底面部の長辺に設けられた一対の長辺側本体側面部と、前記底面部の短辺に設けられた一対の短辺側本体側面部とを備え、前記蓋体は、矩形状の上面部と、前記上面部の長辺に設けられた一対の長辺側蓋体側面部と、前記上面部の短辺に設けられた一対の短辺側蓋体側面部とを備え、前記本体の底面部における互いに対向する辺に、前記本体の底面部の外方側に突出した少なくとも一対の指掛片が形成され、かつ前記蓋体の上面部における互いに対向する辺に、前記蓋体の上面部の外方側に突出した少なくとも一対の指掛片が形成されているカートン。
【図面の簡単な説明】
【０００８】
【図１】本発明の一実施形態にかかるカートンを示す分解斜視図。
【図２】前記実施形態にかかるカートンの蓋体を示す展開平面図。
【図３】前記実施形態にかかるカートンの本体を示す展開平面図。
【図４】前記実施形態にかかるカートンを組み立てた状態を示す斜視図。
【図５】本発明の変形例にかかるカートンを示す斜視図。
【発明を実施するための形態】
【０００９】
本発明のカートンは、本体と、前記本体に組み合わされる蓋体とを備え、前記本体は、矩形状の底面部と、前記底面部の長辺に設けられた一対の長辺側本体側面部と、前記底面部の短辺に設けられた一対の短辺側本体側面部とを備え、前記蓋体は、矩形状の上面部と、前記上面部の長辺に設けられた一対の長辺側蓋体側面部と、前記上面部の短辺に設けられた一対の短辺側蓋体側面部とを備えたカートンである。
本発明の一態様としては、前記本体の底面部における互いに対向する辺に、前記長辺側本体側面部および前記短辺側本体側面部のうちの少なくともどちらかの側面部からの切り残しによって、前記本体の底面部の外方側に突出した少なくとも一対の指掛片を形成する。
この構成をとることによって、本体の底面部の外方側に突出した少なくとも一対の指掛片が形成されているため、本体を把持しやすくなり、本体を確実に把持した状態で、蓋体を本体から容易に分離してカートンを開封できる。
また、本発明の別の態様においては、蓋体の上面部における互いに対向する辺に、長辺側蓋体側面部及び短辺側蓋体側面部のうちの、少なくともどちらかの側面部からの切り残しによって、蓋体の上面部の外方側に突出した少なくとも一対の指掛片が形成されているため、蓋体を把持しやすくなり、蓋体を確実に把持した状態で、本体を蓋体から容易に分離してカートンを開封できる。
また、本発明のさらに別の態様においては、本体の底面部および蓋体の上面部の双方に上述の指掛片を形成することによって、本体及び蓋体の両方を把持しやすくなり、両者を容易に分離してカートンを開封できる。
【００１０】
本発明のカートンにおいては、前記指掛片は、側面部の切り残しによって、本体の底面部及び／又は蓋体の上面部に形成されていることが好ましい。
このように、指掛片は、側面部からの切り残しによって形成されているため、側面部の折り曲げに対して対抗でき、折り曲げ部分がへたることを抑制できる。また、指掛片を長辺側側面部に設けた場合は、指を底面部の短辺分だけ広げればよく、より把持しやすくなり、蓋体と本体とをより容易に分離してカートンを開封できる。
【００１１】
以下、本発明の実施形態の一つを図面に基づいて詳細に説明する。
図１は、本実施形態にかかるカートンを示す分解斜視図である。図２は、本実施形態にかかるカートンの蓋体を示す展開平面図である。図３は、本実施形態にかかるカートンの本体を示す展開平面図である。
本実施形態にかかるカートン１は、ブロックチーズなどの個包装された内容物（図示せず）を収納するものであり、図１に示すように、本体３と、蓋体２とを備える。
【００１２】
図２に示すように、蓋体２は、１枚のブランクを折り畳んで形成される。このブランクは、板紙などのシート材をトムソン刃等を用いて型抜きすることにより形成される。蓋体２には、折線Ｌ１，Ｌ２を介して長辺側蓋体側面部２１、上面部２２、長辺側蓋体側面部２３が順に連設される。なお、折線Ｌ１，Ｌ２は、実際に描かれた線ではなく、折り曲げられる箇所を示す仮想線である。以下の説明で出てくる他の折線についても同じである。
【００１３】
長辺側蓋体側面部２１は、上面部２２の一方の長辺側（図２中左側）に設けられる。長辺側蓋体側面部２１の図２における上下両端には、折線Ｌ３，Ｌ４を介して耳片２４，２５が連設される。また、長辺側蓋体側面部２１の図２における左側長辺には、折線Ｌ１７を介して、長辺側蓋体側面部２１を補強する補強面部２１０が連設される。
上面部２２は矩形状であり、上面部２２の短辺側（図２中上下両端側）には、折線Ｌ７，Ｌ８を介して一対の短辺側蓋体側面部２８，２９が連設される。
長辺側蓋体側面部２３は、上面部２２の他方の長辺側（図２中右側）に設けられる。長辺側蓋体側面部２３の図２における上下両端には、折線Ｌ５，Ｌ６を介して耳片２６，２７が連設される。また、長辺側蓋体側面部２３の図２における右側長辺には、折線Ｌ１８を介して、長辺側蓋体側面部２３を補強する補強面部２３０が連設される。
【００１４】
このような蓋体２では、まず、折線Ｌ１７を用いて補強面部２１０を折り曲げ、長辺側蓋体側面部２１に当接させて所定位置で貼着する。同様に、折線Ｌ１８を用いて補強面部２３０を折り曲げ、長辺側蓋体側面部２３に当接させて所定位置で貼着する。次に、折線Ｌ３〜Ｌ６を用いて耳片２４〜２７を折り曲げる。そして、折線Ｌ１，Ｌ２を用いて長辺側蓋体側面部２１，２３を折り曲げ、折線Ｌ７，Ｌ８を用いて短辺側蓋体側面部２８，２９を折り曲げる。その後、耳片２４，２６に短辺側蓋体側面部２８を当接させて所定位置で貼着し、同様に、耳片２５，２７に短辺側蓋体側面部２９を当接させて所定位置で貼着する。このことにより、図１に示すような下方側が開口した蓋体２が形成される。
【００１５】
図３に示すように、本体３は、蓋体２と同様にブランクを折り畳んで形成される。
本体３には、折線Ｌ９およびＬ１０と、折線Ｌ１１およびＬ１２とを介して長辺側本体側面部３１、底面部３２、長辺側本体側面部３３が順に連設される。
長辺側本体側面部３１は、底面部３２の一方の長辺側（図３中左側）に設けられる。長辺側本体側面部３１の長手方向略中央部であって折線Ｌ９とＬ１０との間に、折線Ｌ９とＬ１０とに連続するコの字形状の第１破断線Ｌ１５が穿設される。第１破断線Ｌ１５は、底面部３２の短辺と平行な寸法Ｄ１の部分と底面部３２の長辺と平行な寸法Ｗ１の部分とを有する。寸法Ｄ１は、長辺側本体側面部３１の高さＨ０よりも十分に小さく、寸法Ｗ１は、底面部３２の長さＷ０よりも十分に小さい。
【００１６】
底面部３２は矩形状であり、底面部３２の短辺側（図３中上下両端側）には、折線Ｌ１３，Ｌ１４を介して一対の短辺側本体側面部３４，３５が連設される。
長辺側本体側面部３３は、底面部３２の他方の長辺側（図３中右側）に設けられる。長辺側本体側面部３３の長手方向略中央部であって折線Ｌ１１とＬ１２との間に、折線Ｌ１１とＬ１２とに連続するコの字形状の第２破断線Ｌ１６が穿設される。第２破断線Ｌ１６は、底面部３２の短辺と平行な寸法Ｄ１の部分と底面部３２の長辺と平行な寸法Ｗ１の部分とを有する。寸法Ｄ１は、長辺側本体側面部３３の高さＨ０よりも十分に小さい。
【００１７】
このような本体３では、まず、折線Ｌ９〜Ｌ１４を用いて長辺側本体側面部３１，３３、短辺側本体側面部３４，３５を折り曲げる。このとき、第１破断線Ｌ１５が切り取られて底面部３２に突出長さＤ１および長さＷ１を有する指掛片３２１が形成され、第２破断線Ｌ１６が切り取られて底面部３２に突出長さＤ１および長さＷ１を有する指掛片３２２が形成される。すなわち、指掛片３２１，３２２は長辺側本体側面部３１，３３からの切り残しによって形成される。このように、一対の指掛片３２１，３２２は、底面部３２の相互に対向する長辺に形成される。また、指掛片３２１，３２２は底面部３２と面一で底面部３２の外方側に突出する。指掛片３２１，３２２の突出長さＤ１は、指掛片３２１，３２２に指が十分にあてがわれる長さである。このことにより、図１に示すような上方側が開口した本体３が形成される。
【００１８】
図４は、本実施形態にかかるカートンを組み立てた状態を示す斜視図である。
図１に示すような蓋体２と本体３とが形成されると、本体３の底面部３２上に、チーズなどの個包装された内容物を載置する。その後、蓋体２を内容物が載置された本体３に近づけ、蓋体２の長辺側蓋体側面部２１，２３および短辺側蓋体側面部２８，２９を本体３の長辺側本体側面部３１，３３および短辺側本体側面部３４，３５の外側に摺接させ、本体３を蓋体２で覆う。すると、指掛片３２１は蓋体２の長辺側蓋体側面部２１よりも外側（図４中左側）に突出し、指掛片３２２は蓋体２の長辺側蓋体側面部２３よりも外側（図４中右側）に突出する。これによって、蓋体２と本体３との組み合わせが完了し、図４に示すようなカートン１が形成される。
【００１９】
このような蓋体２と本体３とが組み合わされたカートン１を開封する場合には、まず、指掛片３２１，３２２に指をあてがい、指掛片３２１，３２２を介して本体３を把持する。本体３を把持した状態で、蓋体２を持ち上げて本体３から分離する。これによって、カートン１が開封される。
【００２０】
以上のような本実施形態によれば、次のような効果が得られる。
（１）本実施形態においては、本体３の底面部３２に、底面部３２と面一で底面部３２の外方側に突出した一対の指掛片３２１，３２２が形成されているため、本体３を確実に把持でき、蓋体２を本体３から容易に分離してカートン１を開封できる。また、指掛片３２１，３２２は蓋体２には形成されていないので、内容物の表示等の印刷などを施すことが多い蓋体２のデザイン性を損なう心配もない。
（２）指掛片３２１，３２２は、本体３の底面部３２の長辺に、本体３の長辺側本体側面部３１，３３からの切り残しによって形成されており、底面部３２の長さＷ０内での指掛片３２１，３２２の長さＷ１が占める割合は格段に小さいので、指掛片３２１，３２２を短辺側本体側面部３４，３５から切り残して形成する場合と比べて、折線Ｌ９〜Ｌ１２での折り曲げに対して良好に対抗でき、折り曲げ部分がへたることを抑制できる。また、指を底面部３２の短辺分だけ広げればよく、本体３をより確実に把持した状態で、蓋体２を本体３からより容易に分離してカートン１を開封できる。
【００２１】
なお、本発明は前述の実施形態に限定されるものではなく、本発明の目的を達成できる範囲での変形、改良などは本発明に含まれるものである。
例えば、前記実施形態では、指掛片は、本体３の長辺側本体側面部３１，３３からの切り残しによって、本体３の底面部３２の相互に対向する長辺にのみ形成されていた。しかし、指掛片は、本体３の短辺側本体側面部３４，３５からの切り残しによって、底面部３２の相互に対向する短辺にのみ形成されていてもよく、または、長辺側本体側面部３１，３３および短辺側本体側面部３４，３５からの切り残しによって、底面部３２の四辺全てに設けられていてもよい。すなわち、指掛片は、長辺側本体側面部３１，３３および短辺側本体側面部３４，３５のうちの少なくともどちらかの側面部からの切り残しによって、底面部３２の相互に対向する辺に少なくとも一対形成されていればよい。
【００２２】
前記実施形態では、指掛片３２１，３２２が本体３にのみ形成されていたが、図５に示すように、蓋体２の上面部２２にも指掛片２２１，２２２が形成されてもよい。図５では、指掛片２２１，２２２は、蓋体２の長辺側蓋体側面部２１，２３からの切り残しによって、上面部２２の相互に対向する長辺に形成される。
ここで、図示省略するが、指掛片は、蓋体２の短辺側蓋体側面部２８，２９からの切り残しによって、上面部２２の相互に対向する短辺にのみ形成されていてもよく、または、長辺側蓋体側面部２１，２３および短辺側蓋体側面部２８，２９からの切り残しによって、上面部２２の四辺全てに設けられていてもよい。すなわち、指掛片は、長辺側蓋体側面部２１，２３および短辺側蓋体側面部２８，２９のうちの少なくともどちらかの側面部からの切り残しによって、上面部２２の相互に対向する辺に少なくとも一対形成されていればよい。
【００２３】
また、図５では、指掛片が本体３の底面部３２および蓋体２の上面部２２の双方に形成されているが、本体３の底面部３２には形成されておらず、蓋体２の上面部２２のみに形成されていてもよい。
【産業上の利用可能性】
【００２４】
本発明は、チーズなどを収納するカートンとして好適に利用することができる。
【符号の説明】
【００２５】
１…カートン
２…蓋体
３…本体
２１，２３…長辺側蓋体側面部
２２…上面部
２８，２９…短辺側蓋体側面部
３１，３３…長辺側本体側面部
３２…底面部
３４，３５…短辺側本体側面部
２２１，２２２，３２１，３２２…指掛片
【図１】
2014065526.tif 000003
【図２】
2014065526.tif 000004
【図３】
2014065526.tif 000005
【図４】
2014065526.tif 000006
【図５】
2014065526.tif 000007